【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
放射線療法システムであって、
回転可能ガントリと、
前記ガントリ上に搭載される陽電子放出検出器の第１のアレイ、および、前記陽電子放出検出器の第１のアレイと反対の前記ガントリ上に搭載される陽電子放出検出器の第２のアレイと、
療法用放射線源であって、前記療法用放射線源は、前記陽電子放出検出器の第１のアレイと第２のアレイとの間の前記回転可能ガントリ上に搭載される、療法用放射線源と、
筐体であって、前記筐体は、前記回転可能ガントリにわたって配置され、ボアと、前記ボア内の患者領域から離間される定常放射線源ホルダとを備え、前記定常放射線源ホルダは、前記筐体内または前記筐体の表面上に位置する、筐体と、
プロセッサであって、前記プロセッサは、前記陽電子放出検出器の第１のアレイおよび第２のアレイから検出された陽電子放出データを受信し、前記定常放射線源ホルダから生じる陽電子放出活動を表す陽電子放出データを抽出し、前記抽出された陽電子放出データが１つ以上の閾値基準を満たさないとき、異常信号を生成するように構成される、プロセッサと
を備える、システム。
【請求項２】
患者支持体をさらに備え、前記患者支持体は、可動支持表面と、基部とを備える、請求項１に記載のシステム。
【請求項３】
前記放射線源ホルダは、前記患者領域の上方の場所において、前記筐体の表面に沿って配置される、請求項２に記載のシステム。
【請求項４】
前記放射線源ホルダは、前記可動支持表面の下方に位置する、請求項２に記載のシステム。
【請求項５】
前記放射線源ホルダによって保持される較正放射線源をさらに備え、前記較正放射線源は、約１μＣｉ〜３００μＣｉの放射能を備える、請求項１に記載のシステム。
【請求項６】
前記放射線源ホルダによって保定されるように構成される較正放射線源をさらに備え、前記較正源は、約０．２５インチ〜約３インチの最大寸法を伴う形状を備える、請求項１に記載のシステム。
【請求項７】
前記較正放射線源は、ディスク形状のエンクロージャと、前記エンクロージャ内に位置する陽電子放出要素とを備える、請求項６に記載のシステム。
【請求項８】
前記プロセッサは、並行して、前記放射線源ホルダから生じる陽電子放出活動を表す陽電子放出データを抽出し、前記患者領域から生じる陽電子放出活動を表す陽電子放出データを抽出するようにさらに構成される、請求項１に記載のシステム。
【請求項９】
閾値基準は、前記定常放射線源ホルダの場所から生じる陽電子放出活動を選択する空間フィルタを備え、前記空間フィルタを前記抽出された陽電子放出データに適用することが、前記陽電子放出活動が前記定常放射線源ホルダの場所と共存しないことを示すとき、異常信号が、生成される、請求項１に記載のシステム。
【請求項１０】
前記空間フィルタは、ユーザ調節可能である、請求項９に記載のシステム。
【請求項１１】
前記プロセッサは、患者治療計画を使用して、前記空間フィルタの幾何学形状を自動的に調節するようにさらに構成される、請求項９に記載のシステム。
【請求項１２】
前記陽電子放出検出器の第１のアレイおよび第２のアレイは、撮像平面を画定し、前記療法用放射線源のビームは、治療平面を画定し、前記撮像平面および前記治療平面は、同一平面にある、請求項１に記載のシステム。
【請求項１３】
前記定常放射線源ホルダは、前記撮像平面および前記治療平面と同一平面にある、請求項１２に記載のシステム。
【請求項１４】
前記定常放射線源ホルダは、前記較正放射線源の形状と対応する形状を有する溝を備える、請求項５−７のいずれか１項に記載のシステム。
【請求項１５】
閾値基準は、第１の時間差を伴って検出された閾値数の同時発生光子事象を備え、
前記プロセッサは、前記時間差を伴って検出された同時発生光子事象の実際の数のプロットを生成するように構成され、
前記時間差を伴って生じる前記同時発生光子事象の実際の数が、前記閾値数を超えないとき、異常信号が、生成される、請求項１に記載のシステム。
【請求項１６】
閾値基準は、閾値真／ランダム比値を備え、
前記プロセッサは、第１の一致時間窓と重複しない第２の一致時間窓内で生じる同時発生光子事象の実際の数に対する約０ｎｓを中心とする前記第１の一致時間窓内で生じる同時発生光子事象の実際の数の比を生成するように構成され、
前記比が前記閾値真／ランダム比値を超えない場合、異常信号が、生成される、請求項１５に記載のシステム。
【請求項１７】
前記閾値真／ランダム比値は、約１である、請求項１６に記載のシステム。
【請求項１８】
閾値基準は、前記陽電子放出検出器の第１のアレイの第１のガントリ場所において、約２．５ｎｓの第１の検出時間差を伴って検出されるべき同時発生光子事象の第１の予期される数と、前記第１のガントリ場所から１８０°の前記陽電子放出検出器の第１のアレイの第２のガントリ場所において、約２．５ｎｓの検出時間差を伴って検出されるべき同時発生光子事象の第２の予期される数とを備え、
前記プロセッサは、前記陽電子放出検出器の第１のアレイおよび第２のアレイによって検出された陽電子放出データに基づいて、３６０°ガントリ回転にわたって、−５ｎｓ〜＋５ｎｓの一致時間窓内で検出された同時発生光子事象の実際の数のプロットを生成するように構成され、
前記陽電子放出検出器の第１のアレイの第１のガントリ場所において、約２．５ｎｓの検出時間差を伴って検出された同時発生光子事象の実際の数が、前記第１の予期される数を満たさず、または超えず、前記陽電子放出検出器の第１のアレイの第２のガントリ場所において、約２．５ｎｓの検出時間差を伴って検出された同時発生光子事象の実際の数が、前記第２の予期される数を満たさない、または超えないとき、異常信号が、生成される、請求項１に記載のシステム。
【請求項１９】
閾値基準は、３６０°ガントリ回転にわたって、各ガントリ場所において、前記第１のアレイおよび第２のアレイの各陽電子放出検出器によって検出されるべき同時発生光子事象の予期される数を備え、
前記プロセッサは、前記陽電子放出検出器の第１のアレイおよび第２のアレイによって検出された陽電子放出データを使用して、３６０°ガントリ回転にわたって、各ガントリ場所において、前記第１のアレイおよび第２のアレイの各陽電子放出検出器によって検出される同時発生光子事象の実際の数を計算するように構成され、
前記同時発生光子事象の実際の数と、前記同時発生光子事象の予期される数との間の差異が、少なくとも１つの陽電子放出検出器に関して、所定の差異閾値を超えるとき、異常信号が、生成される、請求項１に記載のシステム。
【請求項２０】
前記プロセッサが、前記定常放射線源ホルダから生じる陽電子放出活動を表す任意の陽電子放出データを検出しないとき、異常信号が、生成される、請求項１に記載のシステム。
【請求項２１】
閾値基準は、ピーク閾値を上回る同時発生５１１ｋｅＶ光子事象計数を伴うエネルギー分解能スペクトルを備え、前記陽電子放出データから生成されたエネルギー分解能スペクトルが、前記ピーク閾値を上回る５１１ｋｅＶ光子事象計数を有していないとき、異常信号が、生成される、請求項１に記載のシステム。
【請求項２２】
ディスプレイをさらに備え、前記プロセッサは、視覚的インジケータを生成し、前記視覚的インジケータを前記ディスプレイに伝送するように構成され、前記視覚的インジケータは、異常信号が不在の第１の外観と、異常信号が生成されるときの前記第１の外観と異なる第２の外観とを有する、請求項１に記載のシステム。
【請求項２３】
撮像アセンブリであって、
ガントリであって、前記ガントリは、回転可能陽電子放出検出器の第１のアレイと、前記検出器の第１のアレイに対向する回転可能陽電子放出検出器の第２のアレイとを備える、ガントリと、
筐体であって、前記筐体は、前記ガントリにわたって配置され、ボアと、前記ボア内の患者走査領域から離間される定常放射線源とを備え、前記定常放射線源は、前記筐体内または前記筐体の表面上に位置する、筐体と、
プロセッサであって、前記プロセッサは、陽電子放出経路データを前記回転可能陽電子放出検出器の第１のアレイおよび第２のアレイから受信し、前記定常放射線源から生じる陽電子放出経路データを分類し、前記定常放射線源陽電子放出経路データが、閾値パラメータを超えるとき、異常信号を生成するように構成される、プロセッサと
を備える、撮像アセンブリ。
【請求項２４】
陽電子消滅事象によって放出される一対の光子は、陽電子放出経路を生成し、前記プロセッサは、時間閾値パラメータ範囲内の対の光子の受信時間間の差異を使用して、前記定常放射線源から生じる前記陽電子放出経路データを分類するように構成される、請求項２３に記載のアセンブリ。
【請求項２５】
前記閾値パラメータは、場所偏位閾値であり、前記プロセッサは、前記対の光子の受信時間差に基づいて、前記定常放射線源を位置特定し、前記定常放射線源の場所が、前記場所偏位閾値を超えるとき、前記異常信号を生成するように構成される、請求項２４に記載のアセンブリ。
【請求項２６】
陽電子消滅事象によって放出される一対の光子は、陽電子放出経路を生成し、前記閾値パラメータは、時間差範囲であり、前記プロセッサは、前記対の光子の受信時間間の差異が、前記時間差範囲外であるとき、前記異常信号を生成するように構成される、請求項２３に記載のアセンブリ。
【請求項２７】
撮像アセンブリであって、
ガントリであって、前記ガントリは、陽電子放出検出器の第１のアレイと、前記検出器の第１のアレイに対向する陽電子放出検出器の第２のアレイとを備える、ガントリと、
前記ガントリに結合される筐体であって、前記筐体は、ボアおよび前記ボアを中心とする環状放射線源を備える、筐体と、
プロセッサであって、前記プロセッサは、陽電子放出データを前記陽電子放出検出器の第１のアレイおよび第２のアレイから受信し、前記環状放射線源からの陽電子放出データを区別し、前記環状放射線源からの陽電子放出データが、閾値パラメータを超えるとき、異常信号を生成するように構成される、プロセッサと
を備える、撮像アセンブリ。
【請求項２８】
前記プロセッサは、並行して、前記環状放射線源からと、前記ボア内の前記患者走査領域からとの陽電子放出データを分類するようにさらに構成される、請求項２７に記載のアセンブリ。
【請求項２９】
前記プロセッサは、前記環状放射線源からと、前記患者走査領域からとの陽電子放出データを区別するための空間フィルタとともにさらに構成される、請求項２８に記載のアセンブリ。
【請求項３０】
前記検出器の第１のアレイおよび第２のアレイは、定常である、請求項２７に記載のアセンブリ。
【請求項３１】
前記検出器の第１のアレイおよび第２のアレイは、回転可能である、請求項２７に記載のアセンブリ。
【請求項３２】
撮像アセンブリであって、
ガントリであって、前記ガントリは、回転可能陽電子放出検出器の第１のアレイと、前記検出器の第１のアレイに対向する回転可能陽電子放出検出器の第２のアレイとを備える、ガントリと、
１つ以上の放射線源ホルダであって、前記１つ以上の放射線源ホルダは、前記１つ以上の放射線源ホルダが、前記検出器の第１のアレイおよび第２のアレイに対して固定されるように、前記ガントリに結合される、１つ以上の放射線源ホルダと、
プロセッサであって、前記プロセッサは、陽電子放出データを前記回転可能陽電子放出検出器の第１のアレイおよび第２のアレイから受信し、前記１つ以上の放射線源ホルダからの陽電子放出データを区別し、前記１つ以上の放射線源ホルダからの陽電子放出データが、閾値パラメータを超えるとき、異常信号を生成するように構成される、プロセッサと
を備える、撮像アセンブリ。
【請求項３３】
前記ガントリは、ボアを備え、前記ボアは、前記１つ以上の放射線源ホルダから離間される患者走査領域を備え、前記プロセッサは、前記ボア内の前記患者走査領域からの陽電子放出データを区別するようにさらに構成される、請求項３２に記載のアセンブリ。
【請求項３４】
前記１つ以上の放射線源ホルダは、少なくとも４つの放射線源ホルダを備える、請求項３１に記載のアセンブリ。
【請求項３５】
前記対応する１つ以上の放射線源ホルダによって保持される１つ以上の放射線源をさらに備え、前記１つ以上の放射線源は、約１μＣｉ〜３００μＣｉの放射能と、約５１１ｋｅＶのエネルギーとを備える、請求項３１に記載のアセンブリ。
【請求項３６】
前記対応する１つ以上の放射線源ホルダによって保持される１つ以上の放射線源をさらに備え、前記１つ以上の放射線源は、円筒形、球形、およびリングから成る群から選択される形状を備える、請求項３２に記載のアセンブリ。
【請求項３７】
撮像方法であって、
陽電子放出検出器の第１のアレイと、前記検出器の第１のアレイに対向する陽電子放出検出器の第２のアレイとを使用して、同時陽電子放出データを患者および前記患者から離間される較正源から受信することと、
前記患者からと、前記較正源からとの陽電子放出データを区別することと、
前記較正源からの陽電子放出データを使用して、較正データを生成することと、
前記患者からの陽電子放出データを使用して、患者データを生成することと、
前記較正データが、閾値パラメータを超えるとき、異常信号を生成することと
を含む、方法。
【請求項３８】
前記患者からと、前記較正源からとの陽電子放出データを区別することは、前記陽電子放出データを空間的にフィルタ処理することを含む、請求項３７に記載の方法。
【請求項３９】
前記空間フィルタ処理を適用する前に、前記空間フィルタ処理を調節することをさらに含む、請求項３７に記載の方法。
【請求項４０】
前記空間フィルタ処理を調節することは、患者治療計画を使用して実施される、請求項３９に記載の方法。
【請求項４１】
前記陽電子放出データの空間フィルタ処理は、較正領域および患者領域の外に位置する前記陽電子放出データを除外することを含む、請求項３８に記載の方法。
【請求項４２】
前記同時陽電子放出データを受信することは、前記異常信号を生成することと並行して生じる、請求項３７に記載の方法。
【請求項４３】
前記異常信号の生成に基づいて、前記陽電子放出検出器のうちの１つ以上のものを非アクティブ化することをさらに含む、請求項３７に記載の方法。
【請求項４４】
前記異常信号の生成に基づいて、前記検出器の第１のアレイおよび第２のアレイのうちの最大３つのものを非アクティブ化することをさらに含み、前記異常信号は、前記検出器のうちの最大３つのものにおける異常を備える、請求項３７に記載の方法。
【請求項４５】
前記異常信号の生成に基づいて、前記検出器の全てのものを非アクティブ化することをさらに含み、前記異常信号は、前記検出器のうちの４つ以上のものにおける異常を備える、請求項３７に記載の方法。
【請求項４６】
前記較正データを使用して、１つ以上の陽電子放出検出器を較正することをさらに含む、請求項３７に記載の方法。
【請求項４７】
前記陽電子放出データは、前記検出器の患者撮像視野と交差しない応答系統に対応し、前記患者撮像視野は、患者走査領域を備える、請求項３７に記載の方法。
【請求項４８】
前記異常信号の生成に基づいて、前記検出器に結合される陽電子放出検出器較正監視システムを検証することをさらに含む、請求項３７に記載の方法。
【請求項４９】
前記プロセッサは、前記ボア内の前記患者領域から生じる陽電子放出データを抽出するようにさらに構成される、請求項１に記載のシステム。
【請求項５０】
前記定常放射線源ホルダは、第１の放射線源ホルダであり、前記システムは、第２の放射線源ホルダをさらに備える、請求項１に記載のシステム。
【請求項５１】
前記対応する第１および第２の放射線源ホルダの各々によって保定される第１および第２の放射線源をさらに備え、前記第１および第２の放射線源は各々、円筒形、球形、およびリングから成る群から選択される形状を備える、請求項５０に記載のシステム。
【請求項５２】
前記プロセッサは、前記ボア内の前記患者領域から生じる陽電子放出データを抽出するようにさらに構成される、請求項２３に記載のアセンブリ。
【請求項５３】
前記定常放射線源は、第１の放射線源であり、前記アセンブリは、第２の放射線源をさらに備える、請求項２３に記載のアセンブリ。
【請求項５４】
前記第１および第２の放射線源は各々、円筒形、球形、およびリングから成る群から選択される形状を備える、請求項５３に記載のアセンブリ。
【手続補正２】
【補正対象書類名】明細書
【補正対象項目名】００２０
【補正方法】変更
【補正の内容】
【００２０】
いくつかの変形例では、閾値基準は、陽電子放出検出器の第１のアレイの第１のガントリ場所において、約２．５ｎｓの第１の検出時間差を伴って検出されるべき同時発生光子事象の第１の予期される数と、第１のガントリ場所から１８０°の陽電子放出検出器の第１のアレイの第２のガントリ場所において、約２．５ｎｓの検出時間差を伴って検出されるべき同時発生光子事象の第２の予期される数とを備えてもよい。プロセッサは、陽電子放出検出器の第１のアレイおよび第２のアレイによって検出された陽電子放出データに基づいて、３６０°ガントリ回転にわたって、−５ｎｓ〜＋５ｎｓの一致時間窓内で検出された同時発生光子事象の実際の数のプロットを生成するように構成されてもよく、陽電子放出検出器の第１のアレイの第１のガントリ場所において、約２．５ｎｓの検出時間差を伴って検出された同時発生光子事象の実際の数が、第１の予期される数を満たさず、または超えず、陽電子放出検出器の第１のアレイの第２のガントリ場所において、約２．５ｎｓの検出時間差を伴って検出された同時発生光子事象の実際の数が、第２の予期される数を満たさない、または超えないとき、異常信号が、生成されてもよい。代替として、または加えて、閾値基準は、３６０°ガントリ回転にわたって、各ガントリ場所において、第１のアレイおよび第２のアレイの各陽電子放出検出器によって検出されるべき同時発生光子事象の予期される数を備えてもよく、プロセッサは、陽電子放出検出器の第１のアレイおよび第２のアレイによって検出された陽電子放出データを使用して、３６０°ガントリ回転にわたって、各ガントリ場所において、第１のアレイおよび第２のアレイの各陽電子放出検出器によって検出される同時発生光子事象の実際の数を計算するように構成されてもよく、同時発生光子事象の実際の数と、同時発生光子事象の予期される数との間の差異が、少なくとも１つの陽電子放出検出器に関して、所定の差異閾値を超えるとき、異常信号が、生成されてもよい。いくつかの変形例では、プロセッサが、定常放射線源ホルダから生じる陽電子放出活動を表す任意の陽電子放出データを検出しないとき、異常信号が、生成されてもよい。閾値基準は、ピーク閾値を上回る同時発生５１１ｋｅＶ光子事象計数を伴う、エネルギー分解能スペクトルを備え、陽電子放出データから生成されたエネルギー分解能スペクトルが、ピーク閾値を上回る５１１ｋｅＶ光子事象計数を有していないとき、異常信号が、生成されてもよい。本明細書に説明されるシステムのいずれかは、ディスプレイを備えてもよく、プロセッサは、視覚的インジケータを生成し、視覚的インジケータをディスプレイに伝送するように構成されてもよい。視覚的インジケータは、異常信号が不在の第１の外観と、異常信号が生成されるときの、第１の外観と異なる、第２の外観とを有する。
本発明は、例えば、以下を提供する。
（項目１）
放射線療法システムであって、
回転可能ガントリと、
前記ガントリ上に搭載される陽電子放出検出器の第１のアレイ、および、前記陽電子放出検出器の第１のアレイと反対の前記ガントリ上に搭載される陽電子放出検出器の第２のアレイと、
療法用放射線源であって、前記療法用放射線源は、前記陽電子放出検出器の第１のアレイと第２のアレイとの間の前記回転可能ガントリ上に搭載される、療法用放射線源と、
筐体であって、前記筐体は、前記回転可能ガントリにわたって配置され、ボアと、前記ボア内の患者領域から離間される定常放射線源ホルダとを備え、前記定常放射線源ホルダは、前記筐体内または前記筐体の表面上に位置する、筐体と、
プロセッサであって、前記プロセッサは、前記陽電子放出検出器の第１のアレイおよび第２のアレイから検出された陽電子放出データを受信し、前記定常放射線源ホルダから生じる陽電子放出活動を表す陽電子放出データを抽出し、前記抽出された陽電子放出データが１つ以上の閾値基準を満たさないとき、異常信号を生成するように構成される、プロセッサと
を備える、システム。
（項目２）
患者支持体をさらに備え、前記患者支持体は、可動支持表面と、基部とを備える、項目１に記載のシステム。
（項目３）
前記放射線源ホルダは、前記患者走査領域の上方の場所において、前記筐体の表面に沿って配置される、項目２に記載のシステム。
（項目４）
前記放射線源ホルダは、前記可動支持表面の下方に位置する、項目２に記載のシステム。
（項目５）
前記放射線源ホルダによって保持される較正放射線源をさらに備え、前記較正源は、約１μＣｉ〜３００μＣｉの放射能を備える、項目１に記載のシステム。
（項目６）
前記放射線源ホルダによって保定されるように構成される較正放射線源をさらに備え、前記較正源は、約０．２５インチ〜約３インチの最大寸法を伴う形状を備える、項目１に記載のシステム。
（項目７）
前記較正放射線源は、ディスク形状のエンクロージャと、前記エンクロージャ内に位置する陽電子放出要素とを備える、項目６に記載のシステム。
（項目８）
前記プロセッサはさらに、並行して、前記放射線源ホルダから生じる陽電子放出活動を表す陽電子放出データを抽出し、前記患者走査領域から生じる陽電子放出活動を表す陽電子放出データを抽出するように構成される、項目１に記載のシステム。
（項目９）
閾値基準は、前記定常放射線源ホルダの場所から生じる陽電子放出活動を選択する空間フィルタを備え、前記空間フィルタを前記抽出された陽電子放出データに適用することが、前記陽電子放出活動が前記定常放射線源ホルダの場所と共存しないことを示すとき、異常信号が、生成される、項目１に記載のシステム。
（項目１０）
前記空間フィルタは、ユーザ調節可能である、項目９に記載のシステム。
（項目１１）
前記プロセッサはさらに、患者治療計画を使用して、前記空間フィルタの幾何学形状を自動的に調節するように構成される、項目９に記載のシステム。
（項目１２）
前記陽電子放出検出器の第１のアレイおよび第２のアレイは、撮像平面を画定し、前記療法用放射線源のビームは、治療平面を画定し、前記撮像平面および前記治療平面は、同一平面にある、項目１に記載のシステム。
（項目１３）
前記定常放射線源ホルダは、前記撮像平面および前記治療平面と同一平面にある、項目１２に記載のシステム。
（項目１４）
前記定常放射線源ホルダは、前記放射線源の形状と対応する形状を有する溝を備える、項目５−７のいずれか１項に記載のシステム。
（項目１５）
閾値基準は、第１の時間差を伴って検出された閾値数の同時発生光子事象を備え、
前記プロセッサは、前記時間差を伴って検出された同時発生光子事象の実際の数のプロットを生成するように構成され、
前記時間差を伴って生じる前記同時発生光子事象の実際の数が、前記閾値数を超えないとき、異常信号が、生成される、項目１に記載のシステム。
（項目１６）
閾値基準は、閾値真／ランダム比値を備え、
前記プロセッサは、第１の一致時間窓と重複しない第２の一致時間窓内で生じる同時発生光子事象の実際の数に対する約０ｎｓを中心とする第１の一致時間窓内で生じる同時発生光子事象の実際の数の比を生成するように構成され、
前記比が前記閾値真／ランダム比値を超えない場合、異常信号が、生成される、項目１５に記載のシステム。
（項目１７）
前記閾値真／ランダム比値は、約１である、項目１６に記載のシステム。
（項目１８）
閾値基準は、前記陽電子放出検出器の第１のアレイの第１のガントリ場所において、約２．５ｎｓの第１の検出時間差を伴って検出されるべき同時発生光子事象の第１の予期される数と、前記第１のガントリ場所から１８０°の前記陽電子放出検出器の第１のアレイの第２のガントリ場所において、約２．５ｎｓの検出時間差を伴って検出されるべき同時発生光子事象の第２の予期される数とを備え、
前記プロセッサは、前記陽電子放出検出器の第１のアレイおよび第２のアレイによって検出された陽電子放出データに基づいて、３６０°ガントリ回転にわたって、−５ｎｓ〜＋５ｎｓの一致時間窓内で検出された同時発生光子事象の実際の数のプロットを生成するように構成され、
前記陽電子放出検出器の第１のアレイの第１のガントリ場所において、約２．５ｎｓの検出時間差を伴って検出された同時発生光子事象の実際の数が、前記第１の予期される数を満たさず、または超えず、前記陽電子放出検出器の第１のアレイの第２のガントリ場所において、約２．５ｎｓの検出時間差を伴って検出された同時発生光子事象の実際の数が、前記第２の予期される数を満たさない、または超えないとき、異常信号が、生成される、項目１に記載のシステム。
（項目１９）
閾値基準は、３６０°ガントリ回転にわたって、各ガントリ場所において、前記第１のアレイおよび第２のアレイの各陽電子放出検出器によって検出されるべき同時発生光子事象の予期される数を備え、
前記プロセッサは、前記陽電子放出検出器の第１のアレイおよび第２のアレイによって検出された陽電子放出データを使用して、３６０°ガントリ回転にわたって、各ガントリ場所において、前記第１のアレイおよび第２のアレイの各陽電子放出検出器によって検出される同時発生光子事象の実際の数を計算するように構成され、
前記同時発生光子事象の実際の数と、前記同時発生光子事象の予期される数との間の差異が、少なくとも１つの陽電子放出検出器に関して、所定の差異閾値を超えるとき、異常信号が、生成される、項目１に記載のシステム。
（項目２０）
前記プロセッサが、前記定常放射線源ホルダから生じる陽電子放出活動を表す任意の陽電子放出データを検出しないとき、異常信号が、生成される、項目１に記載のシステム。
（項目２１）
閾値基準は、ピーク閾値を上回る同時発生５１１ｋｅＶ光子事象計数を伴うエネルギー分解能スペクトルを備え、前記陽電子放出データから生成されたエネルギー分解能スペクトルが、前記ピーク閾値を上回る５１１ｋｅＶ光子事象計数を有していないとき、異常信号が、生成される、項目１に記載のシステム。
（項目２２）
ディスプレイをさらに備え、前記プロセッサは、視覚的インジケータを生成し、前記視覚的インジケータを前記ディスプレイに伝送するように構成され、前記視覚的インジケータは、異常信号が不在の第１の外観と、異常信号が生成されるときの前記第１の外観と異なる第２の外観とを有する、項目１に記載のシステム。
（項目２３）
撮像アセンブリであって、
ガントリであって、前記ガントリは、回転可能陽電子放出検出器の第１のアレイと、前記検出器の第１のアレイに対向する回転可能陽電子放出検出器の第２のアレイとを備える、ガントリと、
筐体であって、前記筐体は、前記ガントリにわたって配置され、ボアと、前記ボア内の患者走査領域から離間される定常放射線源とを備え、前記定常放射線源は、前記筐体内または前記筐体の表面上に位置する、筐体と、
プロセッサであって、前記プロセッサは、陽電子放出経路データを前記回転可能陽電子放出検出器の第１のアレイおよび第２のアレイから受信し、前記定常放射線源から生じる陽電子放出経路データを分類し、前記定常放射線源陽電子放出経路データが、閾値パラメータを超えるとき、異常信号を生成するように構成される、プロセッサと
を備える、撮像アセンブリ。
（項目２４）
陽電子消滅事象によって放出される一対の光子は、陽電子放出経路を生成し、前記プロセッサは、時間閾値パラメータ範囲内の対の光子の受信時間間の差異を使用して、前記定常放射線源から生じる前記陽電子放出経路データを分類するように構成される、項目２３に記載のアセンブリ。
（項目２５）
前記閾値パラメータは、場所偏位閾値であり、前記プロセッサは、前記対の光子の受信時間差に基づいて、前記定常放射線源を位置特定し、前記定常放射線源の場所が、前記場所偏位閾値を超えるとき、前記異常信号を生成するように構成される、項目２４に記載のアセンブリ。
（項目２６）
陽電子消滅事象によって放出される一対の光子は、陽電子放出経路を生成し、前記閾値パラメータは、時間差範囲であり、前記プロセッサは、前記対の光子の受信時間間の差異が、前記時間差範囲外であるとき、前記異常信号を生成するように構成される、項目２５に記載のアセンブリ。
（項目２７）
撮像アセンブリであって、
ガントリであって、前記ガントリは、陽電子放出検出器の第１のアレイと、前記検出器の第１のアレイに対向する陽電子放出検出器の第２のアレイとを備える、ガントリと、
前記ガントリに結合される筐体であって、前記筐体は、ボアおよび前記ボアを中心とする環状放射線源を備える、筐体と、
プロセッサであって、前記プロセッサは、陽電子放出データを前記陽電子放出検出器の第１のアレイおよび第２のアレイから受信し、前記環状放射線源からの陽電子放出データを区別し、前記環状放射線源からの陽電子放出データが、閾値パラメータを超えるとき、異常信号を生成するように構成される、プロセッサと
を備える、撮像アセンブリ。
（項目２８）
前記プロセッサはさらに、並行して、前記環状放射線源からと、前記ボア内の患者走査領域からとの陽電子放出データを分類するように構成される、項目２７に記載のアセンブリ。
（項目２９）
前記プロセッサはさらに、前記環状放射線源からと、前記患者走査領域からとの陽電子放出データを区別するための空間フィルタとともに構成される、項目２８に記載のアセンブリ。
（項目３０）
前記検出器の第１のアレイおよび第２のアレイは、定常である、項目２７に記載のアセンブリ。
（項目３１）
前記検出器の第１のアレイおよび第２のアレイは、回転可能である、項目２７に記載のアセンブリ。
（項目３２）
撮像アセンブリであって、
ガントリであって、前記ガントリは、回転可能陽電子放出検出器の第１のアレイと、前記検出器の第１のアレイに対向する回転可能陽電子放出検出器の第２のアレイとを備える、ガントリと、
１つ以上の放射線源ホルダであって、前記１つ以上の放射線源ホルダは、前記１つ以上の放射線源ホルダが、前記検出器の第１のアレイおよび前記第２のアレイに対して固定されるように、前記ガントリに結合される、１つ以上の放射線源ホルダと、
プロセッサであって、前記プロセッサは、陽電子放出データを前記回転可能陽電子放出検出器の第１のアレイおよび第２のアレイから受信し、前記１つ以上の放射線源ホルダからの陽電子放出データを区別し、前記１つ以上の放射線源ホルダからの陽電子放出データが、閾値パラメータを超えるとき、異常信号を生成するように構成される、プロセッサと
を備える、撮像アセンブリ。
（項目３３）
前記ガントリは、ボアを備え、前記ボアは、前記１つ以上の放射線源ホルダから離間される患者走査領域を備え、前記プロセッサはさらに、前記ボア内の患者走査領域からの陽電子放出データを区別するように構成される、項目３２に記載のアセンブリ。
（項目３４）
前記１つ以上の放射線源ホルダは、少なくとも４つの放射線源ホルダを備える、項目３１に記載のアセンブリ。
（項目３５）
前記対応する１つ以上の放射線源ホルダによって保持される１つ以上の放射線源をさらに備え、前記１つ以上の放射線源は、約１μＣｉ〜３００μＣｉの放射能と、約５１１ｋｅＶのエネルギーとを備える、項目３１に記載のアセンブリ。
（項目３６）
前記対応する１つ以上の放射線源ホルダによって保持される１つ以上の放射線源をさらに備え、前記１つ以上の放射線源は、円筒形、球形、およびリングから成る群から選択される形状を備える、項目３２に記載のアセンブリ。
（項目３７）
撮像方法であって、
陽電子放出検出器の第１のアレイと、前記検出器の第１のアレイに対向する陽電子放出検出器の第２のアレイとを使用して、同時陽電子放出データを患者および前記患者から離間される較正源から受信することと、
前記患者からと、前記較正源からとの陽電子放出データを区別することと、
前記較正源からの陽電子放出データを使用して、較正データを生成することと、
前記患者からの陽電子放出データを使用して、患者データを生成することと、
前記較正データが、閾値パラメータを超えるとき、異常信号を生成することと
を含む、方法。
（項目３８）
前記患者からと、前記較正源からとの陽電子放出データを区別することは、前記陽電子放出データを空間的にフィルタ処理することを含む、項目３７に記載の方法。
（項目３９）
前記空間フィルタ処理を適用する前に、前記空間フィルタ処理を調節することをさらに含む、項目３７に記載の方法。
（項目４０）
前記空間フィルタ処理を調節することは、患者治療計画を使用して実施される、項目３９に記載の方法。
（項目４１）
前記陽電子放出データの空間フィルタ処理は、較正領域および患者領域の外に位置する前記陽電子放出データを除外することを含む、項目３８に記載の方法。
（項目４２）
前記同時陽電子放出データを受信することは、前記異常信号を生成することと並行して生じる、項目３７に記載の方法。
（項目４３）
放射線源を使用して前記患者を治療することと並行して、前記患者からと、前記較正源からとの同時陽電子放出データを受信することをさらに含む、項目３７に記載の方法。
（項目４４）
前記異常信号を生成することに応答して、前記放射線源を使用した前記患者の治療を停止することをさらに含む、項目４３に記載の方法。
（項目４５）
前記異常信号の生成に基づいて、前記陽電子放出検出器のうちの１つ以上のものを非アクティブ化することをさらに含む、項目３７に記載の方法。
（項目４６）
前記異常信号の生成に基づいて、前記検出器の第１のアレイおよび第２のアレイのうちの最大３つのものを非アクティブ化することをさらに含み、前記異常信号は、前記検出器のうちの最大３つのものにおける異常を備える、項目３７に記載の方法。
（項目４７）
前記異常信号の生成に基づいて、前記検出器の全てのものを非アクティブ化することをさらに含み、前記異常信号は、前記検出器のうちの４つ以上のものにおける異常を備える、項目３７に記載の方法。
（項目４８）
前記較正データを使用して、１つ以上の陽電子放出検出器を較正することをさらに含む、項目３７に記載の方法。
（項目４９）
前記陽電子放出データは、前記検出器の患者撮像視野と交差しない応答系統に対応し、前記患者撮像視野は、患者走査領域を備える、項目３７に記載の方法。
（項目５０）
前記異常信号の生成に基づいて、前記検出器に結合される陽電子放出検出器較正監視システムを検証することをさらに含む、項目３７に記載の方法。